(57)【要約】【課題】密閉ケースに回路装置が収納された密閉型回路装置において、簡易な構造でアース接続を可能とする密閉型回路装置を提供する。【解決手段】密閉型回路装置１００は、回路装置１０と密閉ケース装置２０とを備える。回路装置１０は、回路基板１１、回路基板１１と導通するケース本体１２、ケース本体１１と導通するカバー１５を備える。ケース本体１２の外郭１３ａ，１３ｂには、凸部１４が形成されている。密閉ケース装置２０は、密閉ケース２１、密閉パッキン２４、閉塞板２２を備える。回路装置１０は、密閉ケース２１に収納される際に、凸部１４が密閉ケース２１の内壁を削りながら収納される。収納後は、凸部１４は密閉ケース２１の内壁と圧接状態であり導通する。また、閉塞板２２と密閉ケース２１とは導通する。この凸部により簡易な構成で、回路基板１１、ケース本体１２、密閉ケース２１、閉塞板２２というアース経路が形成される。【選択図】図１
2009110879.tif 000002
【特許請求の範囲】
【請求項１】
照明器具に使用される回路が形成された回路基板を支持するとともに前記回路基板と導通し、かつ、外郭に凸部が形成された基板支持体を有する回路装置と、
内部に前記回路装置が収納される収納ケース本体と、前記収納ケース本体に装着されて前記収納ケース本体の開口部を塞ぐとともに前記収納ケース本体と導通する閉塞板とを有する密閉ケース装置と
を備え、
前記回路装置は、
前記密閉ケース装置に収納された状態において前記基板支持体の前記凸部が前記収納ケース本体の内壁と接触を保つことにより、前記収納ケース本体と導通することを特徴とする密閉型回路装置。
【請求項２】
前記基板支持体の前記凸部は、
前記収納ケース本体の前記内壁と圧接することを特徴とする請求項１記載の密閉型回路装置。
【請求項３】
前記基板支持体は、
長手方向に沿った両側の端部がそれぞれ起き上がる方向に折り曲げられた薄板であって、折り曲げられた両端部がそれぞれ前記外郭を形成するとともに、それぞれの前記外郭の間に前記回路基板が支持され、
前記凸部は、前記基板支持体において、
一方の前記外郭における前記回路基板の側の面に対する裏面と、
他方の前記外郭における前記回路基板の側の面に対する裏面と、
両側の前記外郭の間に位置する面に対する裏面と
の少なくともいずれかの面に形成されたことを特徴とする請求項１または２のいずれかに記載の密閉型回路装置。
【請求項４】
照明器具に使用される回路が形成された回路基板を支持するとともに前記回路基板と導通する基板支持体と、前記回路基板を覆うとともに前記基板支持体と導通し、かつ、凸部が形成された基板カバーとを有する回路装置と、
内部に前記回路装置が収納される収納ケース本体と、前記収納ケース本体に装着されて前記収納ケース本体の開口部を塞ぐとともに前記収納ケース本体と導通する閉塞板とを有する密閉ケース装置と
を備え、
前記回路装置は、
前記密閉ケース装置に収納された状態において前記基板カバーの前記凸部が前記収納ケース本体の内壁と接触を保つことにより、前記収納ケース本体と導通することを特徴とする密閉型回路装置。
【請求項５】
前記回路装置は、
前記凸部が前記収納ケース本体の内壁を摺動して前記収納ケースに収納されることを特徴とする請求項１〜４のいずれかに記載の密閉型回路装置。
【請求項６】
前記閉塞板は、
取付け穴の開けられた突起部が形成されたことを特徴とする請求項１〜５のいずれかに記載の密閉型回路装置。
【請求項７】
照明器具に使用される前記回路は、
光源を点灯させる点灯回路であることを特徴とする請求項１〜６のいずれかに記載の密閉型回路装置。
【請求項８】
請求項１〜７のいずれかに記載の密閉型回路装置と、
前記密閉型回路装置の前記突起部の穴を介して前記密閉型回路装置が取り付けられるとともに、取り付けられた前記密閉型回路装置と導通する照明器具本体と
を備えたことを特徴とする照明器具。
【発明の詳細な説明】
【技術分野】
【０００１】
本発明は、密閉構造により水や粉塵、油から収納された回路装置を保護し、かつ回路装置と電気的に導通した密閉型回路装置及びこの密閉型回路装置を備えた照明器具に関する。
【背景技術】
【０００２】
屋外に設置する照明器具や、屋内に設置される場合においても浴室や食品工場など水気の多い場所に設置される照明器具は、防水対策が求められる。また埃に対しても防塵対策が求められる。例えば工場では、環境によっては、油煙の上がる所や粉塵の多い場合がある。このような場所に設置される照明器具においては、点灯回路部品などの電気部品の保護が必要である。このような場合、点灯回路（回路装置）を密閉構造の収納ケースに収容し、この収納ケースを照明器具本体に取り付けるようしている（例えば特許文献１）。
【０００３】
また、電気部品に１５０Ｖ以上の電圧が加わるような電気器具の場合は、規格により電気部品をアース接続することが義務付けられている。通常、電気部品をアース接続する場合、電気部品に直接アース線を接続し、このアース線を密閉ケースの外部に引き出す構造や密閉ケースと電気部品をアースねじで止める構造（特許文献１）が採用されている。
【０００４】
また、点灯装置を内蔵した照明器具においては、規格により機器から発生する雑音端子電圧に関して、３０ＭＨｚ以上、３００ＭＨｚ以下の周波数範囲で５５ｄＢ以下に抑えることが義務つけられており、他の機器へ影響し誤動作などが生じることのないように上記値が低いことがより望ましいとされている。
【０００５】
アース機構及びアース接地点を増すことにより、雑音端子電圧を下げる効果があるが、密閉ケースと回路装置とを電気的に導通させる方式として、アース線を密閉ケースの外部に引き出す構造、あるいはアースねじで止める構造がとられてきた。しかし、これらは構造が複雑で部品点数が多く、機器の組み立て負担が大きかった。
【０００６】
すなわち、従来の構造の場合、点灯装置を収納した密閉ケースと電気的に導通させる場合、構造が複雑になるという課題があった。
【特許文献１】特開平９−２４６７３９号公報
【発明の開示】
【発明が解決しようとする課題】
【０００７】
この発明は、密閉ケースに収納される電気回路に対して、簡易な構造でアース接続を可能とする密閉型回路装置の提供を目的とする。
【課題を解決するための手段】
【０００８】
この発明の密閉型回路装置は、
照明器具に使用される回路が形成された回路基板を支持するとともに前記回路基板と導通し、かつ、外郭に凸部が形成された基板支持体を有する回路装置と、
内部に前記回路装置が収納される収納ケース本体と、前記収納ケース本体に装着されて前記収納ケース本体の開口部を塞ぐとともに前記収納ケース本体と導通する閉塞板であって取付け穴の開けられた突起部が形成された閉塞板とを有する密閉ケース装置と
を備え、
前記回路装置は、
前記密閉ケース装置に収納された状態において前記基板支持体の前記凸部が前記収納ケース本体の内壁と接触を保つことにより、前記収納ケース本体と導通することを特徴とする。
【発明の効果】
【０００９】
この発明により、密閉ケースに収納される電気回路に対して、簡易な構造でアース接続を可能とする密閉型回路装置を提供することができる。
【発明を実施するための最良の形態】
【００１０】
実施の形態１．
図１〜図１４を用いて実施の形態１を説明する。実施の形態１は、照明器具に使用される回路装置１０と、この回路装置１０を収納する密閉ケース装置２０とを備えた密閉型回路装置１００に関するものである。密閉型回路装置１００の特徴は、回路装置１０を密閉する際に、簡単な構造でアース接続を可能とする点にある。簡単なアース接続構造とすることで、製品コストの低減、組み立て負担の軽減、回路のノイズの低減等を図ることができる。後述のようにケース本体１２に凸部１４を設けることにより、図１において、アース接続の経路は
回路基板１１→ケース本体１２（凸部１４）→密閉ケース２１→閉塞板２２
となる。そして、実施の形態２で後述するが、閉塞板２２から照明器具本体、あるいは突起部２３に取り付けられる端子を介して、アースがとられる。
【００１１】
図１は、密閉型回路装置１００の分解斜視図である。図２は、密閉ケース装置２０に収納される回路装置１０の分解斜視図である。図３は、図１おいて、回路装置１０が密閉ケース２１に収納された際に、密閉パッキン２４、閉塞板２２を取り付けていない状態での矢視Ａを示している。図３のハッチングはケース本体１２と密閉ケース２１の端面を表している。図１〜図３を参照して、密閉型回路装置１００の構成を説明する。密閉型回路装置１００の特徴は、回路装置１０を密閉する際に、簡単な構造でアース接続を可能とする点にある。
【００１２】
（密閉型回路装置１００の構成）
図１に示すように、密閉型回路装置１００は、回路装置１０と、回路装置１０を収納する密閉ケース装置２０とを備える。回路装置１０は、回路基板１１を有するケース本体１２（基板支持部）と、このケース本体１２に装着されて回路基板１１を覆うカバー１５（基板カバー）とを備えている。密閉ケース装置２０は、密閉ケース２１（収納ケース本体）と、密閉ケースの両側の開口部をふさぐ密閉パッキン２４と、密閉ケース２１の開口部における端部との間で密閉パッキン２４を挟み、開口部２６を閉塞する閉塞板２２とを備えている。閉塞板２２は、ねじ２５によって密閉ケース２１に取り付けられる。ケース本体１２，カバー１５、密閉ケース２１、閉塞板２２及びねじ、ナット、ワッシャは、いずれも導電性材料である。
【００１３】
（１）回路装置１０．
まず回路装置１０の詳細を説明する。
（１．１）ケース本体１２：
ケース本体１２は、照明器具に使用される回路が形成された回路基板１１を支持するとともに、回路基板１１と導通し、かつ、外郭１３に凸部１４が形成されている。図２に示すように、ケース本体１２は、長手方向に沿った両側の端部がそれぞれ起き上がる方向に折り曲げられた薄板である。ケース本体１２は、折り曲げられた両端部がそれぞれ外郭１３ａ，１３ｂを形成するとともに、それぞれの外郭１３ａ，外郭１３ｂの間に回路基板１１が支持（固定）されている。なお、特に区別の必要がない場合、外郭は「外郭１３」という場合がある。回路基板１１に形成される回路は、放電灯を点灯させる点灯回路、白熱灯を点灯させる点灯回路、あるいは発光ダイオードを点灯させる点灯回路などが該当する。図２では、回路基板１１上にトランスやコンデンサの電子部品、及び端子を例示した。凸部１４は、ケース本体１２において、回路基板１１の側の面１８に対する外郭１３ａにおける裏面１９ａと、他方の前記外郭における前記回路基板の側の面に対する裏面１９ｂと、回路基板１１が支持されている面１８の裏面である面１９ｃとのうちの少なくともいずれかの面に形成される。ケース本体１２は、回路基板１１を固定的に支持している。図３に示すように、回路基板１１は、ねじ１７によって、ケース本体１２に固定的に支持されている。また、ケース本体１２は、ねじ１７により、回路基板１１と「電気的に導通」している。以下の説明では、「電気的に導通」していることを、単に、「導通」という。ケース本体１２を備える回路装置１０が密閉ケース２１に収納された際に、前記の凸部１４が、密閉ケース２１の内壁と接触を保つことにより、密閉ケース２１と回路装置１０とが導通する。即ち、この凸部１４により、回路基板１１→ケース本体１２→密閉ケース２１という経路で導通する。
【００１４】
（２．密閉ケース装置２０）
次に密閉ケース装置２０の詳細を説明する。
（２．１）密閉ケース２１：
回路装置１０が収納される密閉ケース２１は、両側の端部に開口部２６を有する中空形状の部材である。密閉ケース２１は、例えば、アルミニウムの押し出し材である。図３に示すように、回路装置１０の収納幅寸法Ｗ１は、密閉ケース２１における収納幅寸法Ｗ１に対応する対応幅寸法Ｗ２よりもわずかに大きい。回路装置１０を密閉ケース２１に収納する際には、凸部１４が密閉ケース２１の内壁を削りながら摺動することで、回路装置１０が密閉ケース２１に収納される。よって、密閉ケース２１内に収納されている状態では、ケース本体１２の凸部１４は、密閉ケース２１の内壁と圧接している。
（２．２）密閉パッキン２４及び閉塞板２２：
回路装置１０は、密閉ケース２１に収納されると、密閉パッキン２４によって密閉される。そして、閉塞板２２によって、密閉ケース２１の開口部２６が塞がれる。すなわち、閉塞板２２は、密閉パッキン２４で密閉された密閉ケース２１の開口部２６に装着されて密閉ケース２１の開口部２６を塞ぐ。閉塞板２２は、ねじ２５が密閉ケース２１に形成された雌ねじ２８にねじこまれることにより、密閉ケース２１に取り付けられる。また、閉塞板２２は、取付け穴２７の開けられた突起部２３が形成されている。閉塞板２２は導電性材料であるので、凸部１４により、回路基板１１→ケース本体１２→密閉ケース２１として形成された導通ルートは、密閉ケース２１から、さらに、閉塞板２２に到る。
【００１５】
（凸部１４が形成される位置）
図３〜図８は凸部１４が形成される位置のバリエーションを説明する図である。図３〜図８では、凸部を破線で囲んでいる。凸部１４が外郭１３に形成される場合には、図３等では、凸部１４の外郭における長手方向の位置は、図２の位置に形成されていることを想定する。
【００１６】
図３は、凸部１４が外郭１３ａに形成された場合を示している。密閉ケース２１は、通常、アルミの押出し材が使用される。アルミ材は、表面にアルマイト処理または塗装を施しているため、導通が困難である。また、表面に処理を施していない場合であっても、アルミ材は、表面に酸化皮膜が形成されるため、導通が困難となる。したがって、凸部１４が、ケース本体１２の収納時に、摺動によって密閉ケース２１の内壁の塗装および皮膜を削ることにより、導通が可能となる。
【００１７】
図４は、ケース本体１２の面１９ｃに凸部１４−１が形成された場合を示している。この場合は、回路装置１０（ケース本体１２）の収納高さ寸法Ｈ１は、密閉ケース２１における収納高さ寸法Ｈ１に対応する対応高さ寸法Ｈ２よりもわずかに大きい。回路装置１０を密閉ケース２１に収納する際には、図４の凸部１４−１が密閉ケース２１の内壁を削りながら摺動することで、回路装置１０が密閉ケース２１に収納される。よって、密閉ケース２１内に収納されている状態では、ケース本体１２の凸部１４−１は、密閉ケース２１の内壁と圧接している。これにより、回路装置１０と密閉ケース２１とが導通する。また、凸部１４−１を設けることにより密閉ケース２１との接触面も増える。つまり、点線Ａで囲んだカバー１５の上部と密閉ケース２１との密着性が向上する。このため、放熱効果も高めると同時に、ガタツキも防止することができる。
【００１８】
図５は、図３に対して、両側の外郭１３ａ，外郭１３ｂにそれぞれ凸部１４が形成された場合（合計２個）を示している。この場合は、凸部１４が１つ増えているので、図３に比較して導通の確実さが増す。
【００１９】
図６は、カバー１５に凸部１４−２が形成された場合を示す図である。カバー１５は、回路基板１１を覆うとともにケース本体１２と導通し、かつ、凸部１４−２が形成されている。カバー１５は、ケース本体１２と嵌合するために形成された凸部１によるケース本体１２との嵌合、あるいはネジ止めによるケース本体１２との締結により、ケース本体１２と導通する。カバー１５と密閉ケース２１とは、凸部１４−２により導通する。
【００２０】
図７は、図５の２つの凸部１４を設けた場合に対して、さらに、図６の凸部１４−２を加えた場合である。カバーに凸部１４−２を設けることにより、ケース本体１２の背面（面１９ｃ）と密閉ケース２１の内側の面との密着性が高まる効果が得られる。
【００２１】
図８、図９は、凸部１４が、ケース本体１２の片側（一方の外郭１３ａ）に形成されており、そのケース本体１２の外郭の内側にカバー１５が入る構成であるため、Ｌ字状に密閉ケースとケースが接するので、より高い放熱効果が得られる。つまり、ケース本体１２が外郭１３ａ，１３ｂに対応し、所定の平面部を有する各端部を有しており、各端部の外側の面が対応する外郭１３ａ，１３ｂの内側の面と接触することにより、放熱効果が向上する。
【００２２】
（凸部の形状のバリエーション）
図１０〜図１３は、凸部形状のバリエーションを示す図である。凸部の外郭での長手方向の位置は、図２の場合を想定する。それぞれの図には、矢視図を示した。
【００２３】
図１０の凸部１４は、略半円状の中空断面が、外郭１３の長手方向に行くに従って徐々に減少していく形状である。図１１の凸部１４は、略三角形状の中空断面が、外郭１３ａの長手方向に行くに従って徐々に減少していく形状である。図１２の凸部１４は、板片を外郭１３ａの長手方向に対して斜めに（矢視Ｃでみて、凸部となる２つ板片が「ハの字」になるように）取り付けた形状である。図１３の凸部１４は、略垂直に起立した外郭１３に対して、板片を起立方向とは逆向き、かつ、斜め方向に（図１の矢視Ａでみて、２つの板片が「ハの字」になるように）取り付けた形状である。
【００２４】
（凸部の向き）
図１４は、凸部の向きを示す図である。図１４（ａ）は、密閉型回路装置１００において、密閉ケース２１を断面として内部の回路装置１０を示した図（正面図相当）である。図１４（ｂ）は、密閉ケース２１内部の回路装置１０を示すための、図１４（ａ）対する平面図相当の図である。また、図１４（ｃ）は、図１４（ａ）に対する左側面図に相当する図である。即ち、図１０〜図１３で凸部の形状を説明したが、２以上の凸部（外郭、面１９ｃ、カバー１５に形成されるものを含む）が形成された場合に、凸部の向きは、図１４に示すように、同じ向きにそろえる。これは、回路装置１０を密閉ケース２１に挿入し易い様にするためである。
【００２５】
以上のように、実施の形態１の密閉型回路装置１００は、ケース本体１２に形成された凸部、あるいはカバー１５に形成された凸部によって導通をするので、アース接続構造が簡易となり、製品コストの低減、組み立て負担の軽減、及び回路のノイズの低減等を図ることができる。
【００２６】
実施の形態２．
図１５〜図１７を使用して実施の形態２を説明する。実施の形態２は、実施の形態１の密閉型回路装置１００を備えた照明器具の実施形態である。
【００２７】
図１５は、密閉型回路装置１００を照明器具本体３００へ導通させ、かつ固定する状態を示す斜視図である。実施の形態２では、回路基板１１は、放電灯点灯回路が形成されているものとする。密閉型回路装置１００は、ねじ５１、ナット５２、ワッシャ５３等によって照明器具本体３００に取り付けられる。これらねじ５１、ナット５２、ワッシャ５３は導電性材料でつくられている。照明器具本体３００は、亜鉛メッキ鋼板であるので、照明器具本体３００は、密閉型回路装置１００と導通する。即ち、回路基板１１→ケース本体１２→密閉ケース２１→閉塞板２２（突起部２３）→照明器具本体３００という導通ルートが形成される。また、図１５に示すように、丸型端子３０が、閉塞板２２の突起部２３に取り付けられる。ユーザは、必要があれば、丸型端子３０からアースをとることができる。密閉型回路装置１００が取り付けられた照明器具本体３００には、逆富士形の反射板２００が取り付けられ、これらで照明器具１０００を構成する。
【００２８】
図１６は、照明器具１０００の斜視図である。また、図１７は、図１６のＡ−Ａ断面図である。図１７は、閉塞板２２とケース本体１２との間で切断した場合である。
【００２９】
実施の形態２の照明器具１０００は、密閉型回路装置１００を備えたので、回路装置１０へ水分や埃の進入を防止できることに加え、アース接続構造の簡易化により、照明器具コストの低減、組み立て負担の軽減及び回路ノイズの低減等を図ることができる。この回路ノイズの低減に関しては、実際には、２０ＭＨｚ〜３０ＭＨｚの範囲で５ｄｂ程度の向上が見られた。
【図面の簡単な説明】
【００３０】
【図１】実施の形態１の密閉型回路装置１００の分解斜視図。
【図２】実施の形態１の回路装置１０の分解斜視図。
【図３】実施の形態１の凸部位置を示す図。
【図４】実施の形態１の凸部位置を示す図。
【図５】実施の形態１の凸部位置を示す図。
【図６】実施の形態１の凸部位置を示す図。
【図７】実施の形態１の凸部位置を示す図。
【図８】実施の形態１の凸部位置を示す図。
【図９】実施の形態１のカバーとケース本体との取付を示す図。
【図１０】実施の形態１の凸部の形状を示す図。
【図１１】実施の形態１の凸部の形状を示す図。
【図１２】実施の形態１の凸部の形状を示す図。
【図１３】実施の形態１の凸部の形状を示す図。
【図１４】実施の形態１の凸部の方向を示す図。
【図１５】実施の形態２の照明器具の分解斜視図。
【図１６】実施の形態２の照明器具の斜視図。
【図１７】図１６のＡ−Ａ断面図。
【符号の説明】
【００３１】
１  凸部、１０  回路装置、１１  回路基板、１２  ケース本体、１３，１３ａ，１３ｂ  外郭、１４，１４−１，１４−２  凸部、１５  カバー、１６  リード線、１７  ねじ、１８  面、１９ａ，１９ｂ，１９ｃ  面、２０  密閉ケース装置、２１  密閉ケース、２２  閉塞板、２３  突起部、２４  密閉パッキン、２５  ねじ、２６  開口部、２７  取付け穴、２８  雌ねじ、３０  丸型端子、５１  ねじ、５２  ナット、５３  ワッシャ、１００  密閉型回路装置、２００  反射板、３００  照明器具本体、１０００  照明器具。
【図１】
2009110879.tif 000003
【図２】
2009110879.tif 000004
【図３】
2009110879.tif 000005
【図４】
2009110879.tif 000006
【図５】
2009110879.tif 000007
【図６】
2009110879.tif 000008
【図７】
2009110879.tif 000009
【図８】
2009110879.tif 000010
【図９】
2009110879.tif 000011
【図１０】
2009110879.tif 000012
【図１１】
2009110879.tif 000013
【図１２】
2009110879.tif 000014
【図１３】
2009110879.tif 000015
【図１４】
2009110879.tif 000016
【図１５】
2009110879.tif 000017
【図１６】
2009110879.tif 000018
【図１７】
2009110879.tif 000019